(57)【要約】      （修正有）【課題】ワイヤレスセルラー電気通信ネットワークにおいて着信コールをいつでも移動端末へルーティングするための方法を提供する。【解決手段】第１のネットワークデバイスは、着信コールを表す第１のメッセージを受信し、移動端末が位置していると想定されるエリアを管理する１つの第２のネットワークデバイスの少なくとも１つの識別子を読み出し、着信コールを表す第２のメッセージを第２のネットワークデバイスへ転送し、転送されたメッセージを表す情報を記憶し、別のエリアに移動端末が存在することを表す第３のメッセージを第３のネットワークデバイスから受信し、着信コールを表すメッセージが転送されていたことを示す第４のメッセージを第３のネットワークデバイスへ転送する。【選択図】図１
2008167433.tif 000002
【特許請求の範囲】
【請求項１】
ワイヤレスセルラー電気通信ネットワークにおいて着信コールを移動端末へルーティングするための方法であって、
前記ワイヤレスセルラー電気通信ネットワークは、ネットワークデバイスを備え、
第１のネットワークデバイスが、前記移動端末が位置していると想定されるエリアを管理する、前記移動端末に関連付けられている少なくとも１つの第２のネットワークデバイスの少なくとも１つの識別子を記憶し、
前記第１のネットワークデバイスは、
前記移動端末の着信コールを表す第１のメッセージを受信するステップと、
前記移動端末が位置していると想定される前記エリアを管理する１つの第２のネットワークデバイスを示す識別子を少なくとも１つ読み出すステップと、
前記少なくとも１つの読み出された識別子を使用して、前記着信コールを表す第２のメッセージを前記少なくとも１つの第２のネットワークデバイスへ転送するステップと、
前記転送されたメッセージを表す情報を記憶するステップと、
別のエリアに前記移動端末が存在することを表す第３のメッセージを第３のネットワークデバイスから受信するステップと、
前記転送されたメッセージを表す情報が記憶されている場合に、前記着信コールを表す前記メッセージが前記少なくとも１つの第２のネットワークデバイスへ転送されていたことを示す少なくとも１つの情報を含む第４のメッセージを前記第３のネットワークデバイスへ転送するステップと
を実行することを特徴とする、ワイヤレスセルラー電気通信ネットワークにおいて着信コールを移動端末へルーティングするための方法。
【請求項２】
タイムスタンプが、前記転送されたメッセージを表す前記情報に関連付けられること、及び、
前記方法は、
前記タイムスタンプが時間値よりも小さいか否かをチェックするステップと、
前記タイムスタンプが前記時間値よりも小さい場合に、前記第２のメッセージの前記転送を表す前記記憶された情報を削除するステップと
をさらに含むことを特徴とする、請求項１に記載の方法。
【請求項３】
前記第１のネットワークデバイスは、複数のエリアから成る少なくとも１つのトラッキングエリアを管理するモビリティ管理エンティティであり、
前記第２のネットワークデバイスは、前記トラッキングエリアの１つのエリアをそれぞれ管理する基地局であること、及び、
前記第１のネットワークデバイスは、前記着信コールを表す前記第２のメッセージを各基地局へ転送することを特徴とする、請求項１又は２に記載の方法。
【請求項４】
前記第１のネットワークデバイスは、少なくとも２つのトラッキングエリアを管理し、該第１のネットワークデバイスは、前記移動端末が位置していると想定される前記トラッキングエリアのセルを管理する各基地局へ前記着信コールを表す前記第２のメッセージを転送すること、及び、
前記第３のネットワークデバイスは、前記移動端末が位置していると想定されないトラッキングエリアの１つのエリアを管理する基地局であることを特徴とする、請求項３に記載の方法。
【請求項５】
前記着信コールを表す前記メッセージが前記少なくとも１つの第２のネットワークデバイスへ転送されていたことを示す少なくとも１つの情報を含む前記第４のメッセージは、前記移動端末が位置していると想定されない前記トラッキングエリアの１つのエリアを管理する各基地局へ転送されることを特徴とする、請求項４に記載の方法。
【請求項６】
前記第１のネットワークデバイスによって管理される１つのトラッキングエリアの１つのエリアを管理する基地局から、第５のメッセージを転送した前記基地局により管理される前記エリアに別の移動端末が位置していることを通知する前記第５のメッセージを受信するステップであって、該第５のメッセージは、モビリティ管理エンティティの識別子を少なくとも含む、受信するステップと、
前記第５のメッセージに含まれる前記識別子が前記第１のネットワークデバイスの識別子であるか否かをチェックするステップと、
前記第５のメッセージに含まれる前記識別子が前記第１のネットワークデバイスの前記識別子でない場合に、前記第１のネットワークデバイスによって管理される前記エリアに前記移動端末が存在することを表す第６のメッセージを転送するステップと、
前記第１のネットワークデバイスによって管理される前記エリアに前記移動端末が存在することを表す前記第６のメッセージに応答した第７のメッセージを受信するステップと、
応答して受信された前記第７のメッセージにおいて、着信コールを表す情報が前記別の移動端末へ転送されていたか否かをチェックするステップと、
前記着信コールを表す前記情報が前記別の移動端末へ転送されていた場合に、前記着信コールを表す第８のメッセージを、前記受信されたメッセージを転送した少なくとも前記基地局へ転送するステップと
をさらに含むことを特徴とする、請求項４又は５に記載の方法。
【請求項７】
前記第１のネットワークデバイスによって管理される１つのトラッキングエリアの１つのエリアを管理する基地局から、第５のメッセージを転送した前記基地局により管理される前記エリアに別の移動端末が位置していることを通知する前記第５のメッセージを受信するステップであって、該第５のメッセージは、モビリティ管理エンティティの識別子を少なくとも含む、受信するステップと、
前記第５のメッセージに含まれる前記識別子が前記第１のネットワークデバイスの識別子であるか否かをチェックするステップと、
前記第５のメッセージに含まれる前記識別子が前記第１のネットワークデバイスの前記識別子である場合に、
第２の転送されたメッセージを表す情報が前記別の移動端末について記憶されているか否かをチェックするステップと、
前記第２の転送されたメッセージを表す前記情報が前記別の移動端末について記憶されている場合に、前記着信コールを表す第６のメッセージを、前記受信されたメッセージを転送した少なくとも前記基地局へ転送するステップと
をさらに含むことを特徴とする、請求項４又は５に記載の方法。
【請求項８】
前記第１のネットワークデバイスは、前記着信コールを表す前記第２のメッセージを、前記移動端末が位置していると想定される前記トラッキングエリアのセルを管理する各基地局へ転送すること、及び、
前記第３のネットワークデバイスは、前記第１のネットワークデバイスによって管理される前記少なくとも１つのトラッキングエリアの前記エリアとは異なる複数のエリアから成る少なくとも別のトラッキングエリアを管理する別のモビリティ管理エンティティであることを特徴とする、請求項３に記載の方法。
【請求項９】
前記着信コールを表す前記メッセージが前記少なくとも１つの第２のネットワークデバイスへ転送されていたことを示す少なくとも１つの情報を含む前記第４のメッセージは、前記移動端末の認証パラメータ及び／又は該移動端末の加入パラメータをさらに含むことを特徴とする、請求項８に記載の方法。
【請求項１０】
前記第１のネットワークデバイスによって管理される１つのトラッキングエリアの１つのエリアを管理する基地局から、第５のメッセージを転送した前記基地局によって管理される前記エリアに別の移動端末が位置していることを通知する前記第５のメッセージを受信するステップであって、該第５のメッセージは、モビリティ管理エンティティの識別子を少なくとも含む、受信するステップと、
前記第５のメッセージに含まれる前記識別子が前記第１のネットワークデバイスの識別子であるか否かをチェックするステップと、
前記第５のメッセージに含まれる前記識別子が前記第１のネットワークデバイスの前記識別子でない場合に、前記第１のネットワークデバイスによって管理される前記エリアに前記移動端末が存在することを表す第６のメッセージを転送するステップと、
前記第１のネットワークデバイスによって管理される前記エリアに前記移動端末が存在することを表す前記第６のメッセージに応答した第７のメッセージを受信するステップと、
応答して受信された前記第７のメッセージにおいて、着信コールを表す情報が前記別の移動端末へ転送されていたか否かをチェックするステップと、
前記着信コールを表す前記情報が前記別の移動端末へ転送されていた場合に、前記着信コールを表す第８のメッセージを、前記受信されたメッセージを転送した少なくとも前記基地局へ転送するステップと
をさらに含むことを特徴とする、請求項８又は９に記載の方法。
【請求項１１】
前記第１のネットワークデバイスによって管理される１つのトラッキングエリアの１つのエリアを管理する基地局から、第５のメッセージを転送した前記基地局により管理される前記エリアに別の移動端末が位置していることを通知する前記第５のメッセージを受信するステップであって、該第５のメッセージは、モビリティ管理エンティティの識別子を少なくとも含む、受信するステップと、
前記第５のメッセージに含まれる前記識別子が前記第１のネットワークデバイスの識別子であるか否かをチェックするステップと、
前記第５のメッセージに含まれる前記識別子が前記第１のネットワークデバイスの前記識別子である場合に、
第２の転送されたメッセージを表す情報が前記別の移動端末について記憶されているか否かをチェックするステップと、
前記第２の転送されたメッセージを表す前記情報が前記別の移動端末について記憶されている場合に、前記着信コールを表す第６のメッセージを、前記受信されたメッセージを転送した少なくとも前記基地局へ転送するステップと
をさらに含むことを特徴とする、請求項８又は９に記載の方法。
【請求項１２】
前記着信コールを表す前記第６のメッセージは、前記受信されたメッセージを転送した前記基地局によって管理される前記エリアを含む前記トラッキングエリアの１つのエリアを管理する各基地局へ転送されることを特徴とする、請求項１０又は１１に記載の方法。
【請求項１３】
前記第１のネットワークデバイスはモビリティアンカであり、
前記第２のネットワークデバイスはモビリティ管理エンティティであり、
各モビリティ管理エンティティは、複数のエリアから成る少なくとも１つのトラッキングエリアから成るプールエリアを管理し、
前記第１のネットワークデバイスは、前記着信コールを表す前記第２のメッセージを、前記移動端末が位置していると想定される前記エリアを管理する前記第２のネットワークデバイスのみへ転送すること、及び、
前記第３のネットワークデバイスは、前記移動端末が位置していると想定されない複数のエリアから成る少なくとも１つのトラッキングエリアから成るプールエリアを管理するモビリティ管理エンティティであることを特徴とする、請求項１又は２に記載の方法。
【請求項１４】
前記第３のネットワークデバイスによって転送された前記第３のメッセージが受信された時に前記タイムスタンプを変更するステップをさらに含むことを特徴とする、請求項１３に記載の方法。
【請求項１５】
前記第３のネットワークデバイスによって管理される前記プールエリアを、前記移動端末が位置していると想定される前記エリアとして識別するステップをさらに含むことを特徴とする、請求項１４に記載の方法。
【請求項１６】
前記第３のネットワークデバイスは、
前記第３のネットワークデバイスによって管理される１つのトラッキングエリアの１つのエリアを管理する基地局から、前記受信されたメッセージを転送した前記基地局によって管理される前記エリアに前記移動端末が位置していることを通知するメッセージを受信し、
前記着信コールを表す前記第４のメッセージに応答して、着信コールが前記移動端末へ転送されていたことを示すメッセージを、前記受信されたメッセージを転送した前記基地局へ転送する
ことを特徴とする、請求項１３〜１５のいずれか一項に記載の方法。
【請求項１７】
ワイヤレスセルラー電気通信ネットワークにおいて着信コールを移動端末へルーティングするためのデバイスであって、
前記ワイヤレスセルラー電気通信ネットワークは、ネットワークデバイスを備え、
該ルーティングするためのデバイスは、前記移動端末が位置していると想定されるエリアを管理するとともに前記移動端末に関連付けられている少なくとも１つの第２のネットワークデバイスの少なくとも１つの識別子を記憶する、第１のネットワークデバイスに含まれ、
該ルーティングするためのデバイスは、
前記移動端末の着信コールを表す第１のメッセージを受信する手段と、
前記移動端末が位置していると想定される前記エリアを管理する１つの第２のネットワークデバイスを示す識別子を少なくとも１つ読み出す手段と、
前記少なくとも１つの読み出された識別子を使用して、前記着信コールを表す第２のメッセージを前記少なくとも１つの第２のネットワークデバイスへ転送する手段と、
前記転送されたメッセージを表す情報を記憶する手段と、
別のエリアに前記移動端末が存在することを表す第３のメッセージを第３のネットワークデバイスから受信する手段と、
前記転送されたメッセージを表す情報が記憶されている場合に、前記着信コールを表す前記メッセージが前記少なくとも１つの第２のネットワークデバイスへ転送されていたことを示す少なくとも１つの情報を含む第４のメッセージを前記第３のネットワークデバイスへ転送する手段と
備えることを特徴とする、ワイヤレスセルラー電気通信ネットワークにおいて着信コールを移動端末へルーティングするためのデバイス。
【請求項１８】
プログラマブルデバイス内に直接ロード可能とすることができるコンピュータプログラムであって、
プログラマブルデバイス上で実行されると、請求項１〜１５のいずれか一項に記載の方法の前記ステップを実施する命令又はコード部を含む、コンピュータプログラム。
【請求項１９】
ワイヤレスセルラー電気通信ネットワークの２つのネットワークデバイス間で、移動端末へ着信コールをルーティングするために転送されるメッセージであって、
前記着信コールを表すメッセージが少なくとも１つの第２のネットワークデバイスへ転送されていたことを示す少なくとも１つの情報、並びに／又は、前記移動端末の認証パラメータ、及び／若しくは、該移動端末の加入パラメータを含むことを特徴とする、メッセージ。
【発明の詳細な説明】
【技術分野】
【０００１】
本発明は、ワイヤレスセルラー電気通信ネットワークにおいて着信コールを移動端末へルーティングするための方法及びデバイスに関する。
【０００２】
ワイヤレスセルラー電気通信ネットワークでは、アイドルモードにある移動端末は、ネットワークデバイスによってハンドリングされる。汎用移動地上波システム（universal mobile terrestrial system）（ＵＭＴＳ）ネットワークのＬｏｎｇ  Ｔｅｒｍ  Ｅｖｏｌｕｔｉｏｎ（ＬＴＥ）では、ネットワークデバイスは、モビリティ管理エンティティ（Mobility Management Entity）（ＭＭＥ）と名付けられている。汎用パケット無線サービスネットワークでは、ネットワークデバイスは、サービングＧＰＲＳサポートノードと名付けられている。移動ＩＰネットワークでは、ネットワークデバイスは、外部エージェントと名付けられ、ＧＳＭネットワークでは、ネットワークデバイスは、在圏ロケーションレジスタと名付けられている。
【０００３】
ネットワークデバイスは、移動端末が位置していると予想されるセルを制御する基地局へページング通知をルーティングできるように、ワイヤレスセルラー電気通信ネットワークにおける移動端末のロケーションを追跡しつづけることを担当する。このようなページング通知は、さまざまな場合に起こり得るが、主として、着信コールをネットワークから移動端末へルーティングしなければならない時に起こり得る。その場合、基地局は、移動端末がリスン(listen)することができるページングメッセージを無線で送信することができる。移動端末は、ページングメッセージを受信すると、コールを受け付けるためにウェークアップしてシグナリングをトリガすることができる。
【０００４】
移動端末は、当該移動端末が属するトラッキングエリアに属さないセルに入る時、当該移動端末が入るセルを制御している基地局へトラッキングエリア更新メッセージを送信する。このメッセージは、移動端末コンテキスト（mobile terminal context）を取り扱うネットワークデバイスの識別子を含み、その結果、基地局は、対応するネットワークデバイスへそのメッセージをルーティングすることができる。ネットワークデバイスは、このようにどのトラッキングエリアが移動端末を含んでいるかについて常に知らされ、このような移動端末のページング表示を、そのトラッキングエリアに属する１つのセルを制御する各基地局へルーティングすることができる。
【０００５】
トラッキングエリア更新手順の期間中、最初のネットワークデバイスが移動端末の着信コールを受信した場合、そのネットワークデバイスは、宛先移動端末が位置していると想定されるトラッキングエリアのセル内でページング通知を送信する。しかしながら、このような時に、移動端末は、トラッキングエリア更新手順をトリガしているので、そのトラッキングエリアにもはや存在しない場合がある。その結果、移動端末は、もはやそれらのセルでページングメッセージをリスンすることができず、ページング通知の知らせを受けることができない。したがって、移動端末はコールを受け損ない、その結果、サービスグレードが悪化する。移動端末が隣接するトラッキングエリア間を行き来するときの例のように、トラッキングエリア間の移行が頻繁になる場合だけでなく、無線セルのエッジでの信頼できる無線測定の取得までトラッキングエリア更新手順のトリガが延期される場合も、この問題は、着信コールに応答する際の大きな損失につながるおそれがある。
【０００６】
実際には、１つのネットワークデバイスは、ワイヤレスセルラー電気通信ネットワーク全体のサブセット内の移動端末のモビリティを追跡することができる。移動端末は、或るサブセットから別のサブセットへ移動すると、トラッキングエリアの変更を検出し、その移動端末が入っていっているセルを制御している基地局へトラッキングエリア更新メッセージを送信する。このような状況下では、基地局は、前のネットワークデバイスに接続されておらず、別のターゲットネットワークデバイスを選択しなければならず、この別のターゲットネットワークデバイスへ、トラッキングエリア更新メッセージがルーティングされるべきである。この場合、ターゲットネットワークデバイスは、その移動端末のコンテキストを得るために最初のネットワークデバイスと通信しなければならず、トラッキングエリアの変更を移動端末へ通知しなければならない。このコンテキスト転送手順は、リロケーション手順と呼ばれる。
【０００７】
したがって、リロケーション手順は、移動端末が、第１のネットワークデバイスによってカバーされている或るエリアから別のネットワークデバイスによってカバーされているエリアへ移動する時に、通信可能状態(coverage)の連続性を得ることができるように設計される。１つのネットワークデバイスによって管理されるエリアは、２つ以上のＭＭＥによってカバーされ得るので、ＭＭＥプールエリアと呼ばれる。ＭＭＥプールエリアは、通常、複数のトラッキングエリアから成り、１つのトラッキングエリアは、２つのＭＭＥプールエリアと重複しない。
【０００８】
トラッキングエリア更新手順の継続期間は、リロケーション手順を伴う場合に延期されるので、その期間中にページングメッセージが移動端末に到達できない継続期間も延期される。プールエリア間の移行が頻繁になる場合、及び、移動端末が、異なるプールエリアの隣接するトラッキングエリア間を行き来する場合、この問題は、着信コールに応答する際の大きな損失にすらつながる。
【発明の開示】
【発明が解決しようとする課題】
【０００９】
したがって、本発明の目的は、ワイヤレスセルラー電気通信ネットワークにおいて、移動端末へ着信コールをいつでもルーティングすることを可能にする方法及びデバイスを提案することである。
【課題を解決するための手段】
【００１０】
この目的のために、本発明は、ワイヤレスセルラー電気通信ネットワークにおいて着信コールを移動端末へルーティングするための方法であって、
ワイヤレスセルラー電気通信ネットワークは、ネットワークデバイスを備え、
第１のネットワークデバイスが、移動端末が位置していると想定されるエリアを管理する、移動端末に関連付けられている少なくとも１つの第２のネットワークデバイスの少なくとも１つの識別子を記憶し、
第１のネットワークデバイスは、
移動端末の着信コールを表す第１のメッセージを受信するステップと、
移動端末に関連付けられている１つの第２のネットワークデバイスを示す識別子を少なくとも１つ読み出すステップと、
少なくとも１つの読み出された識別子を使用して、着信コールを表す第２のメッセージを少なくとも１つの第２のネットワークデバイスへ転送するステップと、
転送されたメッセージを表す情報を記憶するステップと、
別のエリアに移動端末が存在することを表す第３のメッセージを第３のネットワークデバイスから受信するステップと、
転送されたメッセージを表す情報が記憶されている場合に、着信コールを表すメッセージが少なくとも１つの第２のネットワークデバイスへ転送されていたことを示す少なくとも１つの情報を含む第４のメッセージを第３のネットワークデバイスへ転送するステップと
を実行することを特徴とする、方法に関する。
【００１１】
本発明は、ワイヤレスセルラー電気通信ネットワークにおいて着信コールを移動端末へルーティングするためのデバイスであって、
ワイヤレスセルラー電気通信ネットワークは、ネットワークデバイスを備え、
ルーティングするためのデバイスが、移動端末が位置していると想定されるエリアを管理するとともに移動端末に関連付けられている少なくとも１つの第２のネットワークデバイスの少なくとも１つの識別子を記憶する、第１のネットワークデバイスに含まれ、
移動端末は複数のエリアのうちの１つに位置していると想定され、
ルーティングするためのデバイスは、
移動端末の着信コールを表す第１のメッセージを受信する手段と、
移動端末が位置していると想定されるエリアを管理する１つの第２のネットワークデバイスを示す識別子を少なくとも１つ読み出す手段と、
少なくとも１つの読み出された識別子を使用して、着信コールを表す第２のメッセージを少なくとも１つの第２のネットワークデバイスへ転送する手段と、
転送されたメッセージを表す情報を記憶する手段と、
別のエリアに移動端末が存在することを表す第３のメッセージを第３のネットワークデバイスから受信する手段と、
転送されたメッセージを表す情報が記憶されている場合に、着信コールを表すメッセージが少なくとも１つの第２のネットワークデバイスへ転送されていたことを示す少なくとも１つの情報を含む第４のメッセージを第３のネットワークデバイスへ転送する手段と
備えることを特徴とする、デバイスにも関する。
【００１２】
したがって、ネットワークデバイスが、移動端末の着信コールを表すメッセージを受信し、且つ、移動端末が、第２のネットワークデバイスによって管理されるエリアにもはや存在しない場合、移動端末が位置しているエリアを管理する第３のネットワークデバイスが、着信コールについての通知を受け、次いで、そのコールを移動端末に通知することができる。したがって、移動端末は、コールを受け損なうことはなく、その結果、ワイヤレスセルラー電気通信ネットワークのサービス品質が向上する。
【００１３】
サービス品質のこのような改善は、移動端末のロケーションの更新手順に１秒よりも多くの時間を要するときに非常に効果的である。
【００１４】
特定の特徴によれば、タイムスタンプが、転送されたメッセージを表す情報に関連付けられ、
第１のネットワークデバイスは、
タイムスタンプが時間値よりも小さいか否かをチェックし、
タイムスタンプが時間値よりも小さい場合に、第２のメッセージの転送を表す記憶された情報を削除する。
【００１５】
したがって、メモリの管理が効率的に行われる。
【００１６】
さらに、第１のネットワークデバイスは、移動端末が着信コールに肯定的に応答することに注意する必要はない。移動端末が別のエリアに存在することを表すメッセージがその時間値内に受信される場合、第１のネットワークデバイスは、移動端末が位置していると想定されるエリアを管理する第２のネットワークデバイスへ着信コールを表すメッセージが転送されていたことを、その別のエリアを管理する第３のネットワークデバイスに通知する。着信コールルーティングのプロセスは、この場合、簡単化される。
【００１７】
本発明の第１の実現モードの一形態によれば、
第１のネットワークデバイスは、複数のエリアから成る少なくとも１つのトラッキングエリアを管理するモビリティ管理エンティティであり、
第２のネットワークデバイスは、トラッキングエリアの１つのエリアをそれぞれ管理する基地局であり、
第１のネットワークデバイスは、着信コールを表す第２のメッセージを各基地局へ転送する。
【００１８】
本発明の第１の実現モードのこの形態の特定の特徴によれば、
第１のネットワークデバイスは、少なくとも２つのトラッキングエリアを管理し、
第１のネットワークデバイスは、着信コールを表す第２のメッセージを、移動端末が位置していると想定されるトラッキングエリアのセルを管理する各基地局へ転送し、
第３のネットワークデバイスは、移動端末が位置していると想定されないトラッキングエリアの１つのエリアを管理する基地局である。
【００１９】
したがって、移動端末は、たとえ、トラッキングエリアの変更前にコール通知を適切に受信しなかった場合にトラッキングエリアを変更しても、着信コールに応答することができる。
【００２０】
さらに、着信コールのルーティングは、ワイヤレスセルラー電気通信ネットワークの他のネットワークデバイスを妨げることなく、第１のネットワークデバイスによって行われる。
【００２１】
さらに、第４のメッセージが、移動端末が位置していると想定されないトラッキングエリアの１つのエリアを管理する基地局へのみ送信され、移動端末が位置していると想定されないトラッキングエリアの１つのエリアを管理する各基地局へは送信されないので、シグナリングが最小にされ、第４のメッセージを移動端末へ効率的にルーティングすることができる。
【００２２】
本発明の第１の実現モードのこの形態の特定の特徴によれば、着信コールを表すメッセージが少なくとも１つの第２のネットワークデバイスへ転送されていたことを示す少なくとも１つの情報を含む第４のメッセージは、移動端末が位置していると想定されないトラッキングエリアの１つのエリアを管理する各基地局へ転送されている。
【００２３】
したがって、移動端末は、たとえエリアを連続的に変えていっても、着信コールに応答することができる。
【００２４】
本発明の第１の実現モードのこの変形の特定の特徴によれば、
第１のネットワークデバイスは、
第１のネットワークデバイスによって管理される１つのトラッキングエリアの１つのエリアを管理する基地局から、第５のメッセージを転送した基地局により管理されるエリアに別の移動端末が位置していることを通知する第５のメッセージを受信し、
第５のメッセージに含まれる識別子が第１のネットワークデバイスの識別子であるか否かをチェックし、
第５のメッセージに含まれる識別子が第１のネットワークデバイスの識別子でない場合に、第１のネットワークデバイスによって管理されるエリアに移動端末が存在することを表す第６のメッセージを転送し、
第１のネットワークデバイスによって管理されるエリアに移動端末が存在することを表す第６のメッセージに応答した第７のメッセージを受信し、
応答して受信された第７のメッセージにおいて、着信コールを表す情報が別の移動端末へ転送されていたか否かをチェックし、
着信コールを表す情報が別の移動端末へ転送されていた場合に、着信コールを表す第８のメッセージを、受信されたメッセージを転送した少なくとも基地局へ転送する。
【００２５】
したがって、移動端末は、たとえ別の移動端末が異なるエリアを通って移動していても、コールを受け損なうことはなく、その結果、ワイヤレスセルラー電気通信ネットワークのサービス品質が向上する。
【００２６】
本発明の第１の実現モードのこの形態の特定の特徴によれば、
第１のネットワークデバイスは、
第１のネットワークデバイスによって管理される１つのトラッキングエリアの１つのエリアを管理する基地局から、第５のメッセージを転送した基地局によって管理されるエリアに別の移動端末が位置していることを通知する、モビリティ管理エンティティの識別子を少なくとも含む第５のメッセージを受信し、
第５のメッセージに含まれる識別子が第１のネットワークデバイスの識別子であるか否かをチェックし、
第５のメッセージに含まれる識別子が第１のネットワークデバイスの識別子である場合に、
第２の転送されたメッセージを表す情報が別の移動端末について記憶されているか否かチェックし、
第２の転送されたメッセージを表す情報が別の移動端末について記憶されている場合に、着信コールを表す第６のメッセージを、受信されたメッセージを転送した少なくとも基地局へ転送する。
【００２７】
したがって、移動端末は、別の移動端末が、ＭＭＥプールエリア内の隣接するトラッキングエリア間を行き来する場合に、コールを受け損なうことはなく、その結果、ワイヤレスセルラー電気通信ネットワークのサービス品質が向上する。
【００２８】
本発明の第１の実現モードの別の形態の特定の特徴によれば、
第１のネットワークデバイスは、着信コールを表す第２のメッセージを、移動端末が位置していると想定されるトラッキングエリアのセルを管理する各基地局へ転送し、
第３のネットワークデバイスは、第１のネットワークデバイスによって管理される少なくとも１つのトラッキングエリアのエリアとは異なる複数のエリアから成る少なくとも別のトラッキングエリアを管理する別のモビリティ管理エンティティである。
【００２９】
したがって、着信コールのルーティングは、ワイヤレスセルラー電気通信ネットワークの他のネットワークデバイスを妨げることなく、モビリティ管理エンティティによって行われる。
【００３０】
本発明の第１の実現モードの別の形態の特定の特徴によれば、着信コールを表すメッセージが少なくとも１つの第２のネットワークデバイスへ転送されていたことを示す少なくとも１つの情報を含む第４のメッセージは、移動端末の認証パラメータ及び／又は移動端末の加入パラメータをさらに含む。
【００３１】
したがって、第３のネットワークデバイスは、着信コールのルーティング及び移動端末との通信の確立に必要なすべての情報を有する。
【００３２】
本発明の第１の実現モードの別の形態の特定の特徴によれば、
第１のネットワークデバイスは、
第１のネットワークデバイスによって管理される１つのトラッキングエリアの１つのエリアを管理する基地局から、第５のメッセージを転送した基地局により管理されるエリアに別の移動端末が位置していることを通知する、モビリティ管理エンティティの識別子を少なくとも含む第５のメッセージを受信し、
第５のメッセージに含まれる識別子が第１のネットワークデバイスの識別子であるか否かをチェックし、
第５のメッセージに含まれる識別子が第１のネットワークデバイスの識別子でない場合に、第１のネットワークデバイスによって管理されるエリアに移動端末が存在することを表す第６のメッセージを転送し、
第１のネットワークデバイスによって管理されるエリアに移動端末が存在することを表す第６のメッセージに応答した第７のメッセージを受信し、
応答して受信された第７のメッセージにおいて、着信コールを表す情報が別の移動端末へ転送されていたか否かをチェックし、
着信コールを表す情報が別の移動端末へ転送されていた場合に、着信コールを表す第８のメッセージを、受信されたメッセージを転送した少なくとも基地局へ転送する。
【００３３】
したがって、移動端末は、たとえ別の移動端末が異なるエリアを通って移動していても、コールを受け損なうことはなく、その結果、ワイヤレスセルラー電気通信ネットワークのサービス品質が向上する。
【００３４】
本発明の第１の実現モードの別の形態の特定の特徴によれば、
第１のネットワークデバイスは、
第１のネットワークデバイスによって管理される１つのトラッキングエリアの１つのエリアを管理する基地局から、第５のメッセージを転送した基地局により管理されるエリアに別の移動端末が位置していることを通知する、モビリティ管理エンティティの識別子を少なくとも含む第５のメッセージを受信し、
第５のメッセージに含まれる識別子が第１のネットワークデバイスの識別子であるか否かをチェックし、
第５のメッセージに含まれる識別子が第１のネットワークデバイスの識別子である場合に、
第２の転送されたメッセージを表す情報が別の移動端末について記憶されているか否かをチェックし、
第２の転送されたメッセージを表す情報が別の移動端末について記憶されている場合に、着信コールを表す第６のメッセージを、受信されたメッセージを転送した少なくとも基地局へ転送する。
【００３５】
本発明の第１の実現モードの別の形態の特定の特徴によれば、着信コールを表す第８のメッセージは、受信されたメッセージを転送した基地局によって管理されるエリアを含むトラッキングエリアの１つのエリアを管理する各基地局へ転送される。
【００３６】
したがって、移動端末は、たとえエリアを連続的に変えていっても、着信コールに応答することができる。
【００３７】
本発明の第２の実現モードによれば、
第１のネットワークデバイスはモビリティアンカであり、
第２のネットワークデバイスはモビリティ管理エンティティであり、
各モビリティ管理エンティティは、複数のエリアから成る少なくとも１つのトラッキングエリアから成るプールエリアを管理し、
第１のネットワークデバイスは、着信コールを表す第２のメッセージを、移動端末が位置していると想定されるプールエリアを管理する第２のネットワークデバイスのみへ転送し、
第３のネットワークデバイスは、移動端末が位置していると想定されない複数のエリアから成る少なくとも１つのトラッキングエリアから成る１つのプールエリアを管理するモビリティ管理エンティティである。
【００３８】
したがって、トラッキングエリアの少なくとも１つのデバイスへ転送された着信コールを表すメッセージを表す情報の記憶は、ワイヤレスセルラー電気通信ネットワークについて単一のネットワークデバイスにより行われる。
【００３９】
さらに、移動端末は、トラッキングエリア更新手順の後直ちにコールに応答することができる。このトラッキングエリア更新手順は、たとえ、移動端末がトラッキングエリア更新手順の実現中に適切にコール通知を受信できない場合であっても、リロケーション手順を伴う。
【００４０】
本発明の第２の実現モードの特定の特徴によれば、別のトラッキングエリアに移動端末が存在することを表すメッセージが受信される時に、モビリティアンカは、タイムスタンプを変更する。
【００４１】
したがって、モビリティアンカは、着信コールの送信に失敗した場合に、移動端末の着信コールの表示の再送を試みることができる。
【００４２】
さらに、移動端末は、隣接するプールエリア間を行き来する場合に、コールを受け損なうことはなく、その結果、ワイヤレスセルラー電気通信ネットワークのサービス品質が向上する。
【００４３】
本発明の第２の実現モードの特定の特徴によれば、モビリティアンカは、第３のネットワークデバイスによって管理されるプールエリアを、移動端末が位置していると想定されるエリアとして識別する。
【００４４】
したがって、データベースが更新される。
【００４５】
本発明の第２の実現モードの特定の特徴によれば、
第３のネットワークデバイスは、
第３のネットワークデバイスによって管理される１つのトラッキングエリアの１つのエリアを管理する基地局から、受信されたメッセージを転送した基地局によって管理されるエリアに移動端末が位置していることを通知するメッセージを受信し、
着信コールを表す第４のメッセージに応答してメッセージを転送する。この第４のメッセージに応答して転送されるメッセージは、着信コールが移動端末のためであることを示す。
【００４６】
したがって、第４のメッセージに応答して転送されたメッセージは、受信されたメッセージを転送した基地局へのみ送信されて、受信されたメッセージを転送した基地局を含むトラッキングエリアの１つのエリアを管理する各基地局へは転送されないので、シグナリングが最小にされ、着信コールがその移動端末のものであることを示すメッセージをその移動端末へ効率的にルーティングすることができる。
【００４７】
さらに別の態様によれば、本発明は、プログラマブルデバイス内に直接ロード可能とすることができるコンピュータプログラムであって、
プログラマブルデバイス上で実行されると、本発明による方法のステップを実施する命令又はコード部を含む、コンピュータプログラムに関する。
【００４８】
このコンピュータプログラムに関する特徴及び利点は、本発明による方法及びデバイスに関係して上述したものと同じであるので、それらの特徴及び利点は、ここでは繰り返さないことにする。
【００４９】
さらに別の態様によれば、本発明は、ワイヤレスセルラー電気通信ネットワークの２つのネットワークデバイス間で、移動端末へ着信コールをルーティングするために転送されるメッセージであって、
着信コールを表すメッセージが少なくとも１つの第２のネットワークデバイスへ転送されていたことを示す少なくとも１つの情報、並びに、移動端末の認証パラメータ、及び／又は、移動端末の加入パラメータを含む、メッセージに関する。
【００５０】
このメッセージに関する特徴及び利点は、本発明による方法及びデバイスに関係して上述したものと同じであるので、それらの特徴及び利点は、ここでは繰り返さないことにする。
【００５１】
本発明の特徴は、一例の実施形態の以下の説明を読むことによってより明らかになる。その説明は、添付図面に関して作成されている。
【発明を実施するための最良の形態】
【００５２】
図１は、本発明が実施されるワイヤレスセルラー電気通信ネットワークのアーキテクチャを表す図である。
【００５３】
本発明の第１の実現モードの第１の形態によれば、第１のネットワークデバイスは、モビリティ管理エンティティＭＭＥであり、各第２のネットワークデバイスは、基地局ＢＴＳであり、第３のネットワークデバイスは、別のモビリティ管理エンティティＭＭＥである。
【００５４】
本発明の第１の実現モードの第２の形態によれば、第１のネットワークデバイスは、モビリティ管理エンティティＭＭＥであり、各第２のネットワークデバイスは、モビリティ管理エンティティＭＭＥによって管理される第１のトラッキングエリアに含まれる１つのエリアを管理する基地局ＢＴＳであり、第３のネットワークデバイスは、モビリティ管理エンティティＭＭＥによって管理される第２のトラッキングエリアに含まれる１つのエリアを管理する基地局ＢＴＳである。
【００５５】
本発明の第２の実現モードによれば、第１のネットワークデバイスは、モビリティアンカＭＡであり、各第２のネットワークデバイスは、少なくとも１つのトラッキングエリアを管理するモビリティ管理エンティティＭＭＥであり、第３のネットワークデバイスは、少なくとも１つの他のトラッキングエリアを管理するモビリティ管理エンティティＭＭＥである。
【００５６】
図１のワイヤレスセルラー電気通信では、モビリティアンカＭＡが示されている。
【００５７】
モビリティアンカＭＡは、ワイヤレスセルラー電気通信ネットワークの各移動端末３０がモビリティ管理エンティティＭＭＥに関連付けられているテーブルを記憶する。モビリティアンカＭＡは、各移動端末３０のロケーションを近似したもの、及び各移動端末３０のプロファイルをさらに記憶する。
【００５８】
図１では、簡単にするために、２つのモビリティ管理エンティティＭＭＥ１及びＭＭＥ２が示されている。モビリティ管理エンティティＭＭＥ１は、プールエリア８０ａを管理する。プールエリア８０ａは、少なくとも１つのトラッキングエリア７０ａから成る。
【００５９】
モビリティ管理エンティティＭＭＥ２は、プールエリア８０ｂを管理する。プールエリア８０ｂは、少なくとも１つのトラッキングエリア７０ｂから成る。
【００６０】
モビリティ管理エンティティＭＭＥ１は、電気通信ネットワーク５０を通じて、モビリティアンカＭＡと、モビリティ管理エンティティＭＭＥ２と、モビリティ管理エンティティＭＭＥ１が管理するプールエリア８０ａに含まれるセル１５ａ１〜１５ａ４のうちの１つを管理する各基地局ＢＴＳとにリンクされている。
【００６１】
より正確には、モビリティ管理エンティティＭＭＥ１は、電気通信ネットワークの部分５１を通じて、モビリティ管理エンティティＭＭＥ１が管理するプールエリア８０ａに含まれるセル１５ａ１〜１５ａ４のうちの１つを管理する各基地局ＢＴＳにリンクされている。
【００６２】
モビリティ管理エンティティＭＭＥ２は、電気通信ネットワーク５０を通じて、モビリティアンカＭＥと、モビリティ管理エンティティＭＭＥ２と、モビリティ管理エンティティＭＭＥ２が管理するプールエリア８０ｂに含まれるセル１５ｂ１〜１５ｂ４のうちの１つを管理する各基地局ＢＴＳとにリンクされている。
【００６３】
より正確には、モビリティ管理エンティティＭＭＥ１は、電気通信ネットワークの部分５２を通じて、モビリティ管理エンティティＭＭＥ２が管理するプールエリア８０ｂに含まれるセル１５ｂ１〜１５ｂ４のうちの１つを管理する各基地局ＢＴＳにリンクされている。
【００６４】
プールエリア８０は、少なくとも１つのトラッキングエリア７０を含む。この少なくとも１つのトラッキングエリア７０は、一般にはセル１５と名付けられた複数のエリアを含む。これらのエリアでは、図１に図示しないリモート電気通信デバイスが移動端末３０との通信を確立しようとする時、移動端末３０が位置しているか又は位置していると想定されるトラッキングエリア７０を管理するモビリティ管理エンティティＭＭＥは、トラッキングエリア７０に含まれるセル１５を管理する各基地局ＢＴＳへ、リモート電気通信デバイスが移動端末３０との通信を確立しようとしていることを示すページングメッセージを転送する。
【００６５】
トラッキングエリア７０に含まれるセル１５を管理する各基地局ＢＴＳは、これに応答して、自身が管理するセル１５内でページングメッセージを転送する。
【００６６】
電気通信ネットワーク５０は、限定ではなく例として、専用有線ネットワーク、公衆交換網のような公衆網の一部、ＩＰベースネットワーク、ワイヤレスネットワーク、非同期転送モードネットワーク、又は上記に列挙したネットワークの組み合わせである。
【００６７】
明瞭にするために、図１には２つの基地局ＢＴＳ１及びＢＴＳ２しか示されていない。基地局ＢＴＳ１は、移動端末３０の移動元のセル１５ａ１を管理し、基地局ＢＴＳ２は、移動端末３０が入っていくセル１５ｂ２を管理する。
【００６８】
矢印１０は、セル１５ａ１からセル１５ｂ２へ移動端末３０の移動を示している。
【００６９】
明瞭にするために、図１には１つの移動端末３０しか示していないが、実際には、より多くの個数の移動端末３０が、ワイヤレスセルラー電気通信ネットワークのセル１５に位置している。
【００７０】
モビリティ管理エンティティＭＭＥは、サービングＧＰＲＳサポートノード又は外部エージェント又は在圏ロケーションレジスタとも名付けられる。
【００７１】
また、基地局ＢＴＳは、ノード又はノードＢ又はエンハンストノードＢ又はアクセスポイントとも名付けられる。
【００７２】
移動端末３０は、携帯電話、携帯情報端末、又はパーソナルコンピュータのような端末である。
【００７３】
本発明の第１の実現モードの第１の形態によれば、
各モビリティ管理エンティティＭＭＥは、
移動端末の着信コールを表す第１のメッセージをモビリティアンカＭＡから受信するための手段と、
移動端末３０が位置していると想定されるトラッキングエリア７０のエリア又はセル１５を管理する基地局ＢＴＳの識別子を読み出すための手段と、
読み出された識別子を使用して、着信コールを表す第２のメッセージを基地局ＢＴＳへ転送するための手段と、
転送されたメッセージを表す情報を記憶するための手段と、
別のモビリティ管理エンティティＭＭＥから、当該別のモビリティ管理エンティティＭＭＥによって管理されるトラッキングエリア７０に移動端末３０が存在することを表す第３のメッセージを受信するための手段と、
転送されたメッセージを表す情報が記憶されている場合に、着信コールを表すメッセージが基地局ＢＴＳへ転送されていたことを示す少なくとも１つの情報を含む第４のメッセージをその別のモビリティ管理エンティティＭＭＥへ転送するための手段と
を備える。
【００７４】
本発明の第１の実現モードの第２の形態によれば、
各モビリティ管理エンティティＭＭＥは、
移動端末の着信コールを表す第１のメッセージをモビリティアンカＭＡから受信するための手段と、
移動端末３０が位置していると想定されるトラッキングエリア７０のエリア又はセル１５を管理する基地局ＢＴＳの識別子を読み出すための手段と、
読み出された識別子を使用して、着信コールを表す第２のメッセージを基地局ＢＴＳへ転送するための手段と、
転送されたメッセージを表す情報を記憶するための手段と、
モビリティ管理エンティティＭＭＥによって管理される別のトラッキングエリア７０のエリア又はセル１５を管理する別の基地局ＢＴＳから、第３のメッセージを送信した基地局によって管理されるセルに移動端末が存在することを表す第３のメッセージを受信するための手段と、
転送されたメッセージを表す情報が記憶されている場合に、着信コールを表すメッセージが基地局へ転送されていたことを示す少なくとも１つの情報を含む第４のメッセージを、第３のメッセージを送信した基地局へ転送するための手段と
を備える。
【００７５】
本発明の第２の実現モードによれば、
モビリティアンカＭＡは、
移動端末の着信コールを表す第１のメッセージを受信するための手段と、
移動端末３０が位置していると想定されるプールエリア８０を管理するモビリティ管理エンティティＭＭＥの識別子を読み出すための手段と、
読み出された識別子を使用して、移動端末３０が位置していると想定されるプールエリア８０を管理するモビリティ管理エンティティＭＭＥへ、着信コールを表す第２のメッセージを転送するための手段と、
転送されたメッセージを表す情報を記憶するための手段と、
別のモビリティ管理エンティティＭＭＥから、当該別のモビリティ管理エンティティＭＭＥによって管理される別のプールエリア８０に移動端末が存在することを表す第３のメッセージを受信するための手段と、
転送されたメッセージを表す情報が記憶されている場合に、着信コールを表すメッセージがモビリティ管理エンティティＭＭＥへ転送されていたことを示す少なくとも１つの情報を含む第４のメッセージをその別のモビリティ管理エンティティＭＭＥへ転送するための手段と
を備える。
【００７６】
図２は、本発明によるモビリティ管理エンティティのブロック図である。
【００７７】
モビリティ管理エンティティＭＭＥは、たとえば、バス２０１によって互いに接続されたコンポーネントと、図４又は図５ｂに開示されているようなプログラムによって制御されるプロセッサ２００とに基づくアーキテクチャを有する。
【００７８】
ここで、モビリティ管理エンティティＭＭＥは、一形態では、以下に開示するようなプロセッサ２００によって実行されるオペレーションと同じオペレーションを実行する１つ又は複数の専用集積回路の形態で実施されることに留意しなければならない。
【００７９】
バス２０１は、プロセッサ２００を、読み出し専用メモリＲＯＭ２０２、ランダムアクセスメモリＲＡＭ２０３、データベース２０５、及びネットワークインターフェース２０４にリンクする。
【００８０】
ＲＡＭメモリ２０３は、変数と、図４に開示されているようなアルゴリズム又は図５ｂのアルゴリズムに関係したプログラムの命令とを収容することを目的としたレジスタを含む。
【００８１】
読み出し専用メモリ２０２は、図４のアルゴリズム又は図５ｂのアルゴリズムを実施するプログラムの命令を含む。
【００８２】
プロセッサ２００は、ネットワークインターフェース２０４のオペレーションを制御する。
【００８３】
モビリティ管理エンティティＭＭＥは、ネットワークインターフェース２０４を通じて電気通信ネットワーク５０に接続されている。例として、ネットワークインターフェース２０４は、ＤＳＬ（デジタル加入者線）モデム又はＩＳＤＮ（サービス統合デジタル通信網）インターフェース等である。
【００８４】
データベース２０５は、モビリティ管理エンティティＭＭＥのトラッキングエリア７０のセル１５に含まれる各移動端末３０について、認証パラメータ、加入パラメータ、その移動端末３０が位置していると想定されるトラッキングエリア７０の識別子のような、その移動端末３０に関係した情報を記憶する。
【００８５】
本発明の第１の実現モードによれば、データベース２０５は、モビリティ管理エンティティＭＭＥのプールエリア８０のセル１５に含まれる各移動端末３０について、移動端末３０の識別子、ページング通知メッセージが移動端末３０へ以前に転送されていたか否かの表示を記憶する。好ましくは、ページング通知メッセージが移動端末３０へ以前に転送されていたか否かの表示には、タイムスタンプが関連付けられる。
【００８６】
図３は、本発明によるモビリティアンカのブロック図である。
【００８７】
モビリティアンカＭＡは、たとえば、バス３０１によって互いに接続されたコンポーネントと、図５ａに開示されているようなプログラムによって制御されるプロセッサ３００とに基づくアーキテクチャを有する。
【００８８】
ここで、モビリティアンカＭＡは、一形態では、以下に開示するようなプロセッサ３００によって実行されるオペレーションと同じオペレーションを実行する１つ又は複数の専用集積回路の形態で実施されることに留意しなければならない。
【００８９】
バス３０１は、プロセッサ３００を、読み出し専用メモリＲＯＭ３０２、ランダムアクセスメモリＲＡＭ３０３、データベース３０５、及びネットワークインターフェース３０４にリンクする。
【００９０】
ＲＡＭメモリ３０３は、変数と、図５ａに開示されているようなアルゴリズムに関係したプログラムの命令とを収容することを目的としたレジスタを含む。
【００９１】
読み出し専用メモリ３０２は、図５ａのアルゴリズムを実施するプログラムの命令を含む。
【００９２】
プロセッサ３００は、ネットワークインターフェース３０４のオペレーションを制御する。
【００９３】
モビリティアンカＭＡは、ネットワークインターフェース３０４を通じて電気通信ネットワーク５０に接続されている。例として、ネットワークインターフェース３０４は、ＤＳＬ（デジタル加入者線）モデム又はＩＳＤＮ（サービス統合デジタル通信網）インターフェース等である。
【００９４】
データベース３０５は、ワイヤレスセルラー電気通信ネットワークの各移動端末３０について、その移動端末３０が位置していると想定されるトラッキングエリア７０を管理するモビリティ管理エンティティＭＭＥを識別する情報を記憶する。
【００９５】
本発明の第２の実現モードによれば、データベース３０５は、ワイヤレスセルラー電気通信ネットワークの各移動端末３０について、ページング通知メッセージが移動端末３０へ以前に転送されていたか否かを示す情報を記憶する。好ましくは、ページング通知メッセージが移動端末３０へ以前に転送されていたか否かを示す情報には、タイムスタンプが関連付けられる。
【００９６】
図４は、本発明の第１の実現モードによるモビリティ管理エンティティによって実行されるアルゴリズムを表している。
【００９７】
より正確には、本アルゴリズムは、各モビリティ管理エンティティＭＭＥのプロセッサ２００によって実行される。
【００９８】
ステップＳ４００において、プロセッサ２００は、移動端末３０に宛てられた着信コール通知メッセージがネットワークインターフェース２０４を通じてモビリティアンカＭＡから受信されるか否かをチェックする。着信コール通知メッセージがモビリティアンカＭＡから受信される場合、プロセッサ２００はステップＳ４０１に移行する。着信コール通知メッセージがモビリティアンカＭＡから受信されない場合、プロセッサ２００はステップＳ４０５に移行する。
【００９９】
着信コールは、リモート電気通信デバイスよって行われたコール、若しくは、その移動端末３０との通信を確立しようとする別の移動端末３０によって行われたコールのいずれかであるか、又は、移動端末３０へ転送されるデータある。
【０１００】
ステップＳ４０１において、プロセッサ２００は、モビリティ管理エンティティＭＭＥによって管理される移動端末３０が位置していると想定されるトラッキングエリア７０に属するセル１５を管理する各基地局ＢＴＳへ、ページング通知メッセージの転送を、ネットワークインターフェース２０４を通じて命令する。
【０１０１】
次のステップＳ４０２において、プロセッサ２００は、ページング通知メッセージが移動端末３０へ以前に転送されていたことの表示及び好ましくはタイムスタンプと組み合わせて、着信コールが宛てられた移動端末３０の識別子をデータベース２０５に記憶する。
【０１０２】
タイムスタンプ値は、モビリティ管理エンティティＭＭＥのクロック値と等しい。
【０１０３】
好ましくは、プロセッサ２００は、ｎで示される変数を値１に設定する。この変数ｎは、ページング通知メッセージが移動端末３０へ以前に転送されていた回数を表す。
【０１０４】
その後、プロセッサ２００はステップＳ４０９に移行する。
【０１０５】
ステップＳ４０５において、プロセッサ２００は、リロケーション要求メッセージが、ネットワークインターフェース２０４を通じて別のモビリティ管理エンティティＭＭＥから受信されるか否かをチェックする。このようなリロケーション要求メッセージは、本発明の第１の実現モードの第１の形態に対応する。リロケーション要求メッセージが、別のモビリティ管理エンティティＭＭＥから受信される場合、プロセッサ２００はステップＳ４０６に移行する。リロケーション要求メッセージが、別のモビリティ管理エンティティＭＭＥから受信されない場合、プロセッサ２００はステップＳ４１４に移行する。
【０１０６】
リロケーション要求メッセージは、モビリティ管理エンティティＭＭＥによって管理される１つのトラッキングエリア７０に属するセル１５から、リロケーション要求メッセージを送信したモビリティ管理エンティティＭＭＥによって管理される１つのトラッキングエリア７０に属するセル１５へ移動した移動端末３０の識別子を少なくとも含む。
【０１０７】
次のステップＳ４０６において、プロセッサ２００は、ページング通知メッセージが移動端末３０へ以前に転送されていたか否かを示す情報が、リロケーション要求メッセージに含まれる移動端末３０の識別子に関連付けられているか否かを、データベース２０５においてチェックする。ページング通知メッセージが移動端末３０へ以前に転送されていたことを示す情報が、移動端末３０の識別子に関連付けられている場合、プロセッサ２００はステップＳ４０７に移行する。ページング通知メッセージが移動端末３０へ以前に転送されていたことを示す情報が、移動端末３０の識別子に関連付けられていない場合、プロセッサ２００はステップＳ４０８に移行する。
【０１０８】
ステップＳ４０７において、プロセッサ２００は、リロケーション応答メッセージの或るフィールドを、少なくとも１つのページング通知メッセージが移動端末３０へ以前に転送されていたことを示す所定の値に設定する。
【０１０９】
次のステップＳ４０８において、プロセッサ２００は、リロケーション要求メッセージを送信したモビリティ管理エンティティＭＭＥへネットワークインターフェース２０４を通じてリロケーション応答メッセージを転送することを命令する。リロケーション応答メッセージは、認証パラメータ及び／又は加入パラメータ並びにステップＳ４０７で設定された情報フィールドのような、移動端末３０に関係付けられた情報をさらに含む。
【０１１０】
次のステップＳ４０９において、プロセッサ２００は、ページング通知メッセージが移動端末３０へ以前に転送されていたことを示す各情報について、関連付けられているタイムスタンプと組み合わせて移動端末３０の識別子を読み出す。
【０１１１】
次のステップＳ４１０において、プロセッサ２００は、読み出されたタイムスタンプの中で古いタイムスタンプを選択する。古いタイムスタンプは、時間値よりも小さなタイムスタンプである。例として、時間値は、モビリティ管理エンティティＭＭＥのクロック値から２秒又は３秒を引いた値に等しい。同じステップにおいて、プロセッサ２００は、古いタイムスタンプに対応する移動端末３０の識別子を選択する。
【０１１２】
次のステップＳ４１１において、プロセッサ２００は、変数ｎがＮで示される定数に等しい移動端末３０の識別子を選択する。Ｎは、少なくとも１に等しい整数値に等しい。
【０１１３】
次のステップＳ４１２において、プロセッサ２００は、移動端末３０の選択された識別子、識別子に関連付けられているタイムスタンプ、ページング通知メッセージが転送されていたことを示す識別子に関連付けられている情報、及び識別子に関連付けられている変数ｎを、データベース２０５から削除する。
【０１１４】
次のステップＳ４１３において、プロセッサ２００は、識別子がデータベース２０５に残っており、且つページング通知メッセージ転送されていたことを示す情報、各移動端末３０について、ネットワークインターフェース２０４を通じて、モビリティ管理エンティティＭＭＥによって管理される各移動端末３０が位置していると想定されるトラッキングエリア７０に属するセル１５を管理する各基地局ＢＴＳへページング通知メッセージの転送を命令する。同じステップにおいて、プロセッサ２００は、残っている各変数ｎを１つだけインクリメントする。
【０１１５】
その後、プロセッサはステップＳ４００に戻る。
【０１１６】
ステップＳ４１４において、プロセッサ２００は、トラッキングエリア更新メッセージ（ＴＡＵ）を表すメッセージが、モビリティ管理エンティティＭＭＥによって管理される１つのトラッキングエリア７０に含まれるセル１５を管理する基地局ＢＴＳの１つから受信されるか否かをチェックする。トラッキングエリア更新メッセージは、ネットワークインターフェース２０４を通じて受信される。
【０１１７】
トラッキングエリア更新メッセージは、移動端末３０が位置していると想定されるトラッキングエリア７０に属さない基地局ＢＴＳのセル１５内に入る移動端末３０から、モビリティ管理エンティティＭＭＥへ基地局ＢＴＳによって転送される。トラッキングエリア更新メッセージは、少なくとも、移動端末３０の識別子、及び、移動端末３０が位置していると想定されるトラッキングエリア７０を管理するか又は移動端末３０を管理するモビリティ管理エンティティＭＭＥの識別子を含む。
【０１１８】
トラッキングエリア更新メッセージが受信されない場合、プロセッサ２００は、すでに説明したステップＳ４０９に移行する。
【０１１９】
トラッキングエリア更新メッセージが受信される場合、プロセッサ２００はステップＳ４１５に移行する。
【０１２０】
ステップＳ４１５において、プロセッサ２００は、自身が、受信されたトラッキングエリア更新メッセージに含まれるモビリティ管理エンティティＭＭＥの識別子によって識別されるモビリティ管理エンティティＭＭＥを管理するか否かをチェックする。
【０１２１】
プロセッサ２００が、受信されたトラッキングエリア更新メッセージに含まれるモビリティ管理エンティティＭＭＥの識別子によって識別されるモビリティ管理エンティティＭＭＥを管理する場合、プロセッサ２００はステップＳ４２０に移行する。このような場合は、本発明の第１の実現モードの第２の形態に対応する。
【０１２２】
一方、プロセッサ２００が、受信されたトラッキングエリア更新メッセージに含まれるモビリティ管理エンティティＭＭＥの識別子によって識別されるモビリティ管理エンティティＭＭＥを管理しない場合、プロセッサ２００は、移動端末３０の識別子、ステップＳ４１４で受信されたメッセージを送信した基地局ＢＴＳの識別子、及び受信されたトラッキングエリア更新メッセージに含まれるモビリティ管理エンティティＭＭＥの識別子をデータベース２０５に記憶する。
【０１２３】
プロセッサ２００は、その後、ステップＳ４１６に移行する。
【０１２４】
次のステップＳ４１６において、プロセッサ２００は、受信されたトラッキングエリア更新メッセージにその識別子が含まれるモビリティ管理エンティティＭＭＥへリロケーション要求メッセージを転送することを命令する。このリロケーション要求メッセージは、受信されたトラッキングエリア更新メッセージにその識別子が含まれる移動端末３０の識別子をさらに含む。
【０１２５】
次のステップＳ４１７において、プロセッサ２００は、ネットワークインターフェース２０４を通じて、転送されたリロケーション要求メッセージに応答したリロケーション応答メッセージを受信する。リロケーション応答メッセージは、少なくとも１つのページング通知メッセージが移動端末３０へ以前に転送されていたか否かを示す所定の値を含むフィールドを含む。また、リロケーション応答メッセージは、認証パラメータ及び加入パラメータのような移動端末３０に関係した情報も含む。
【０１２６】
次のステップＳ４１８において、プロセッサ２００は、ネットワークインターフェース２０４を通じて、パス更新メッセージをモビリティアンカＭＡへ転送することを命令する。モビリティアンカＭＡは、移動端末３０を担当していた前のモビリティ管理エンティティＭＭＥの識別子を、パス更新メッセージを送信するモビリティ管理エンティティＭＭＥの識別子と取り替える。
【０１２７】
次のステップＳ４１９において、プロセッサ２００は、移動端末へ転送されるデータがいくつかある場合にそれらのデータと組み合わせて前に転送された、パス更新メッセージに応答したパス更新応答メッセージを、ネットワークインターフェース２０４を通じて受信する。
【０１２８】
次のステップＳ４２０において、プロセッサ２００は、ネットワークインターフェース２０４を通じて、ステップＳ４１４で受信されたトラッキングエリア更新メッセージを転送した基地局ＢＴＳへトラッキングエリア更新確認メッセージを転送することを命令する。基地局ＢＴＳは、トラッキングエリア更新メッセージを送信した移動端末３０へこのトラッキングエリア更新確認メッセージを転送する。
【０１２９】
次のステップＳ４２１において、プロセッサ２００は、少なくとも１つのページング通知が移動端末３０へ送信されたか否かをチェックする。少なくとも１つのページング通知は、ページング通知メッセージが移動端末３０へ以前に転送されていたことを示す情報をデータベース２０５が含む場合、又は、ステップＳ４１７において、少なくとも１つのページング通知メッセージが移動端末３０へ以前に転送されていたことを示す所定の値をリロケーション応答メッセージが含んでいた場合に、移動端末へ送信されている。
【０１３０】
少なくとも１つのページング通知が移動端末３０へ送信された場合、プロセッサ２００はステップＳ４２２に移行する。ページング通知が移動端末３０へ送信されなかった場合、プロセッサ２００はすでに説明したステップＳ４０９に移行する。
【０１３１】
ステップＳ４２２において、プロセッサ２００は、ネットワークインターフェース２０４を通じて、モビリティ管理エンティティＭＭＥによって管理されるトラッキングエリア７０に属するセル１５を管理する各基地局ＢＴＳへページング通知メッセージの転送を命令する。一形態では、ページング通知メッセージは、ステップＳ４１５で記憶されたトラッキングエリア更新メッセージを転送した基地局ＢＴＳのみへ転送されるか、又は、ステップＳ４１５で記憶されたトラッキングエリア更新メッセージを転送した基地局ＢＴＳと、トラッキングエリア更新メッセージを転送した基地局ＢＴＳの近くに位置する基地局ＢＴＳとへ転送される。
【０１３２】
一形態では、ステップＳ４２０及びＳ４２２で転送されるメッセージは、単一のメッセージに結合される。
【０１３３】
次のステップＳ４２３において、プロセッサ２００は、着信コールが宛てられた移動端末３０の識別子を、ページング通知メッセージが前に移動端末３０へ転送されていたことの表示及び好ましくは関連付けられているタイムスタンプと組み合わせてデータベース２０５に記憶する。
【０１３４】
タイムスタンプ値は、モビリティ管理エンティティＭＭＥのクロック値に等しい。
【０１３５】
プロセッサ２００は、その後、すでに説明したステップＳ４０９に移行する。
【０１３６】
図５ａは、本発明の第２の実現モードによるモビリティアンカによって実行されるアルゴリズムを表している。
【０１３７】
より正確には、本アルゴリズムは、モビリティアンカＭＡのプロセッサ３００によって実行される。
【０１３８】
ステップＳ５００において、プロセッサ３００は、移動端末３０に宛てられた着信コールを表すメッセージがネットワークインターフェース３０４を通じて受信されるか否かチェックする。着信コールを表すメッセージが、モビリティアンカＭＡによって受信される場合、プロセッサ３００はステップＳ５０１に移行する。着信コールを表すメッセージが受信されない場合、プロセッサ３００はステップＳ５０８に移行する。
【０１３９】
着信コールは、リモート電気通信デバイスよって行われたコール、若しくは、その移動端末３０との通信を確立しようとする別の移動端末３０によって行われたコールのいずれかであるか、又は、移動端末３０へ転送されるデータある。
【０１４０】
ステップＳ５０１において、プロセッサ３００は、着信コールが宛てられた移動端末３０の識別子を使用してデータベース３０５を読み出し、移動端末３０が位置しているプールエリア８０を管理すると想定されるモビリティ管理エンティティＭＭＥの識別子を得る。プロセッサ３００は、ネットワークインターフェース３０４を通じて、移動端末３０が位置しているプールエリア８０を管理するか又は移動端末３０を管理するモビリティ管理エンティティＭＭＥへ着信コールを表すメッセージを転送することを命令する。
【０１４１】
次のステップＳ５０２において、プロセッサ３００は、着信コールが宛てられた移動端末３０の識別子と組み合わせて、移動端末３０を管理するか又は移動端末３０が位置しているプールエリア８０を管理するモビリティ管理エンティティＭＭＥへ着信コールメッセージが前に転送されていたことを示す情報をデータベース３０５に記憶する。
【０１４２】
好ましくは、プロセッサ３００は、同じステップにおいて、移動端末３０の識別子に関連付けられているタイムスタンプを記憶する。
【０１４３】
プロセッサ３００は、その後、ステップＳ５０３に移行する。
【０１４４】
ステップＳ５０８において、プロセッサ３００は、パス更新メッセージが、ネットワークインターフェース３０４を通じてモビリティ管理エンティティＭＭＥから受信されるか否かをチェックする。
【０１４５】
パス更新メッセージが受信されない場合、プロセッサ３００はステップＳ５０３に戻る。パス更新メッセージが、モビリティ管理エンティティＭＭＥから受信される場合、プロセッサ３００はステップＳ５０９に移行する。
【０１４６】
移動端末３０が位置していると想定されるプールエリア８０に属さない基地局ＢＴＳのセル１５内に入る別の移動端末３０から基地局ＢＴＳによって受信されたトラッキングエリア更新メッセージに応答して、パス更新メッセージが、モビリティ管理エンティティＭＭＥによって転送される。このパス更新メッセージは、少なくとも、移動端末３０の識別子、及び、移動端末３０を現在管理するか又は移動端末３０が現在位置しているプールエリア８０を管理するモビリティ管理エンティティＭＭＥの識別子を含む。
【０１４７】
ステップＳ５０９において、プロセッサ３００は、移動端末３０を担当していた前のモビリティ管理エンティティＭＭＥの識別子を、ステップＳ５０８で受信されたパス更新メッセージを送信したモビリティ管理エンティティＭＭＥの識別子と取り替える。
【０１４８】
次のステップＳ５１０において、プロセッサ３００は、着信コール通知メッセージが移動端末３０へ以前に転送されていたか否かを示す情報が、パス更新メッセージに含まれる移動端末３０の識別子に関連付けられているか否かをデータベース３０４においてチェックする。着信コール通知メッセージが移動端末３０へ以前に転送されていた場合、プロセッサ３００はステップＳ５１１に移行する。着信コール通知メッセージが移動端末３０へ以前に転送されていなかった場合、プロセッサ３００はステップＳ５１３に移行する。
【０１４９】
ステップＳ５１１において、プロセッサ３００は、パス更新応答メッセージの或るフィールドを、着信コール通知メッセージが移動端末３０へ以前に転送されていたことを示す所定の値に設定する。
【０１５０】
次のステップＳ５１２において、プロセッサ３００は、移動端末３０の識別子に関連付けられているタイムスタンプをモビリティアンカＭＡの現在の時間値に設定することによって、そのタイムスタンプを変更する。
【０１５１】
次のステップＳ５１３において、プロセッサ３００は、移動端末へ転送されるデータがいくつかある場合にそれらのデータと組み合わせて、パス更新メッセージを送信したモビリティ管理エンティティＭＭＥへ、パス更新応答メッセージを、ネットワークインターフェース３０４を通じて転送することを命令する。
【０１５２】
ステップＳ５０３において、プロセッサ３００は、着信コール通知メッセージが移動端末３０へ以前に転送されていたことを示す各情報について、関連付けられているタイムスタンプと組み合わせて移動端末３０の識別子を読み出す。
【０１５３】
次のステップＳ５０４において、プロセッサ３００は、読み出されたタイムスタンプの中で古いタイムスタンプを選択する。古いタイムスタンプは、時間値よりも小さなタイムスタンプである。例として、時間値は、モビリティアンカＭＡのクロック値から２秒又は３秒を引いた値に等しい。
【０１５４】
同じステップにおいて、プロセッサ３００は、古いタイムスタンプに対応する移動端末３０の識別子を選択する。
【０１５５】
次のステップＳ５０５において、プロセッサ３００は、移動端末３０の選択された識別子、識別子に関連付けられているタイムスタンプ、着信コール通知メッセージが転送されていたことを示す識別子に関連付けられている情報をデータベース３０５から削除する。
【０１５６】
その後、プロセッサ３００はステップＳ５００に戻る。
【０１５７】
図５ｂは、本発明の第２の実現モードによるモビリティ管理エンティティによって実行されるアルゴリズムを表している。
【０１５８】
より正確には、本アルゴリズムは、各モビリティ管理エンティティＭＭＥのプロセッサ２００によって実行される。
【０１５９】
ステップＳ５５０において、プロセッサ２００は、トラッキングエリア更新メッセージ（ＴＡＵ）を表すメッセージが、モビリティ管理エンティティＭＭＥによって管理されるトラッキングエリア７０に含まれるセル１５を管理する基地局ＢＴＳの１つから受信されるか否かをチェックする。トラッキングエリア更新メッセージは、ネットワークインターフェース２０４を通じて受信される。
【０１６０】
トラッキングエリア更新メッセージは、移動端末３０が位置していると想定されるトラッキングエリア７０に属さない基地局ＢＴＳのセル１５内に入る移動端末３０からモビリティ管理エンティティＭＭＥへ基地局ＢＴＳによって転送される。トラッキングエリア更新メッセージは、少なくとも、移動端末３０の識別子、及び、移動端末３０が位置していると想定されるトラッキングエリア７０を管理するか又は移動端末３０を管理するモビリティ管理エンティティＭＭＥの識別子を含む。
【０１６１】
トラッキングエリア更新メッセージが受信されない場合、プロセッサ２００は、ステップＳ５６０に移行する。
【０１６２】
トラッキングエリア更新メッセージが受信される場合、プロセッサ２００はステップＳ５５１に移行する。
【０１６３】
ステップＳ５５１において、プロセッサ２００は、自身が、受信されたトラッキングエリア更新メッセージに含まれるモビリティ管理エンティティＭＭＥの識別子によって識別されるモビリティ管理エンティティＭＭＥを管理するか否かをチェックする。
【０１６４】
プロセッサ２００が、受信されたトラッキングエリア更新メッセージに含まれるモビリティ管理エンティティＭＭＥの識別子によって識別されるモビリティ管理エンティティＭＭＥを管理する場合、プロセッサ２００はステップＳ５５６に移行する。
【０１６５】
一方、プロセッサ２００が、受信されたトラッキングエリア更新メッセージに含まれるモビリティ管理エンティティＭＭＥの識別子によって識別されるモビリティ管理エンティティＭＭＥを管理しない場合、プロセッサ２００は、移動端末３０の識別子、ステップＳ５５０で受信されたメッセージを送信した基地局ＢＴＳの識別子、及び受信されたトラッキングエリア更新メッセージに含まれるモビリティ管理エンティティＭＭＥの識別子をデータベース２０５に記憶し、次いで、ステップＳ５５２に移行する。
【０１６６】
次のステップＳ５５２において、プロセッサ２００は、受信されたトラッキングエリア更新メッセージにその識別子が含まれるモビリティ管理エンティティＭＭＥへリロケーション要求メッセージを転送することを命令する。このリロケーション要求メッセージは、受信されたトラッキングエリア更新メッセージにその識別子が含まれる移動端末３０の識別子をさらに含む。
【０１６７】
次のステップＳ５５３において、プロセッサ２００は、ネットワークインターフェース２０４を通じて、転送されたリロケーション要求メッセージに応答したリロケーション応答メッセージを受信する。リロケーション応答メッセージは、認証パラメータ及び加入パラメータのような移動端末３０に関係した情報を含む。
【０１６８】
次のステップＳ５５４において、プロセッサ２００は、ネットワークインターフェース２０４を通じて、パス更新メッセージをモビリティアンカＭＡへ転送することを命令する。モビリティアンカＭＡは、移動端末３０を担当していた前のモビリティ管理エンティティＭＭＥの識別子を、モビリティ管理エンティティＭＭＥの識別子と取り替える。
【０１６９】
次のステップＳ５５５において、プロセッサ２００は、移動端末へ転送されるデータがいくつかある場合にそれらのデータと組み合わせて前に転送されたパス更新メッセージに応答したパス更新応答メッセージを、ネットワークインターフェース２０４を通じて受信する。
【０１７０】
パス更新応答メッセージは、着信コール通知メッセージが移動端末３０へ以前に転送されていたか否かを示す所定の値を含むフィールドを含む。
【０１７１】
次のステップＳ５５６において、プロセッサ２００は、ネットワークインターフェース２０４を通じて、ステップＳ５５０で受信されたトラッキングエリア更新メッセージを転送した基地局ＢＴＳへトラッキングエリア更新確認メッセージを転送することを命令する。基地局ＢＴＳは、トラッキングエリア更新メッセージを送信した移動端末３０へトラッキングエリア更新確認メッセージを転送する。
【０１７２】
次のステップＳ５５７において、プロセッサ２００は、少なくとも１つのページング通知が移動端末３０へ送信されたか否かをチェックする。ページング通知メッセージが移動端末３０へ以前に転送されていたことを示す情報をデータベース２０５が含んでいる場合、又は、ステップＳ５５５において、着信コール通知メッセージが移動端末３０へ以前に転送されていたことを示す所定の値をパス更新応答メッセージが含んでいた場合に、少なくとも１つのページング通知が移動端末へ送信されている。
【０１７３】
少なくとも１つのページング通知が移動端末３０へ送信された場合、プロセッサ２００はステップＳ５５８に移行する。ページング通知が移動端末３０へ送信されなかった場合、プロセッサ２００はステップＳ５６０に移行する。
【０１７４】
ステップＳ５５８において、プロセッサ２００は、ネットワークインターフェース２０４を通じて、モビリティ管理エンティティＭＭＥにより管理されるトラッキングエリア７０に属するセル１５を管理する各基地局ＢＴＳへページング通知メッセージの転送を命令する。一形態では、このページング通知メッセージは、ステップＳ５５１で記憶されたトラッキングエリア更新メッセージを転送した基地局ＢＴＳのみへ転送されるか、又は、ステップＳ５５１で記憶されたトラッキングエリア更新メッセージを転送した基地局ＢＴＳ及びトラッキングエリア更新メッセージを転送した基地局ＢＴＳの近くに位置する基地局ＢＴＳへ転送される。
【０１７５】
一形態では、ステップＳ５５６及びＳ５５８で転送されるメッセージは、単一のメッセージに結合される。
【０１７６】
次のステップＳ５５９において、プロセッサ２００は、着信コールが宛てられた移動端末３０の識別子を、ページング通知メッセージが移動端末３０へ以前に転送されていたことを示す情報及び好ましくはタイムスタンプと組み合わせてデータベース２０５に記憶する。
【０１７７】
次のステップＳ５６０において、プロセッサ２００は、ページング通知メッセージが移動端末３０へ以前に転送されていたことを示す各情報について、関連付けられているタイムスタンプと組み合わせて移動端末３０の識別子を読み出す。
【０１７８】
次のステップＳ５６１において、プロセッサ２００は、読み出されたタイムスタンプの中で古いタイムスタンプを選択する。古いタイムスタンプは、時間値よりも小さなタイムスタンプである。例として、時間値は、モビリティ管理エンティティＭＭＥのクロック値から２秒又は３秒を引いた値に等しい。同じステップにおいて、プロセッサ２００は、古いタイムスタンプに対応する移動端末３０の識別子を選択する。
【０１７９】
次のステップＳ５６２において、プロセッサ２００は、変数ｎがＮで示される定数に等しい移動端末３０の識別子を選択する。Ｎは、少なくとも１に等しい整数値に等しい。
【０１８０】
次のステップＳ５６３において、プロセッサ２００は、移動端末３０の選択された識別子、識別子に関連付けられているタイムスタンプ、ページング通知メッセージが転送されていたことを示す識別子に関連付けられている情報、及び識別子に関連付けられている変数ｎをデータベース２０５から削除する。
【０１８１】
次のステップＳ５６４において、プロセッサ２００は、識別子がデータベース２０５に残っており、且つページング通知メッセージ転送されていたことを示す情報、各移動端末３０について、ネットワークインターフェース２０４を通じて、モビリティ管理エンティティＭＭＥによって管理されるその移動端末３０が位置していると想定されるトラッキングエリア７０に属するセル１５を管理する各基地局ＢＴＳへページング通知メッセージの転送を命令する。同じステップにおいて、プロセッサ２００は、残っている各変数ｎを１つだけインクリメントする。
【０１８２】
その後、プロセッサはステップＳ５５０に戻る。
【０１８３】
もちろん、本発明の範囲から逸脱することなく、上述した本発明の実施形態に多くの変更を行うことができる。
【図面の簡単な説明】
【０１８４】
【図１】本発明が実施されるワイヤレスセルラー電気通信ネットワークのアーキテクチャを表す図である。
【図２】本発明によるモビリティ管理エンティティのブロック図である。
【図３】本発明によるモビリティアンカのブロック図である。
【図４】本発明の第１の実現モードによるモビリティ管理エンティティによって実行されるアルゴリズムを示す図である。
【図５ａ】本発明の第２の実現モードによるモビリティアンカによって実行されるアルゴリズムを示す図である。
【図５ｂ】本発明の第２の実現モードによるモビリティ管理エンティティによって実行されるアルゴリズムを示す図である。
【図１】
2008167433.tif 000003
【図２】
2008167433.tif 000004
【図３】
2008167433.tif 000005
【図４】
2008167433.tif 000006
【図５ａ】
2008167433.tif 000007
【図５ｂ】
2008167433.tif 000008
【外国語明細書】
2008167433.tif 000009
2008167433.tif 000010
2008167433.tif 000011
2008167433.tif 000012
2008167433.tif 000013
2008167433.tif 000014
2008167433.tif 000015
2008167433.tif 000016
2008167433.tif 000017
2008167433.tif 000018
2008167433.tif 000019
2008167433.tif 000020
2008167433.tif 000021
2008167433.tif 000022
2008167433.tif 000023
2008167433.tif 000024
2008167433.tif 000025
2008167433.tif 000026
2008167433.tif 000027
2008167433.tif 000028
2008167433.tif 000029
2008167433.tif 000030
2008167433.tif 000031
2008167433.tif 000032
2008167433.tif 000033
2008167433.tif 000034
2008167433.tif 000035
2008167433.tif 000036
2008167433.tif 000037
2008167433.tif 000038
2008167433.tif 000039
2008167433.tif 000040
2008167433.tif 000041
2008167433.tif 000042
2008167433.tif 000043
2008167433.tif 000044
2008167433.tif 000045
2008167433.tif 000046
2008167433.tif 000047
2008167433.tif 000048